(57)【要約】【課題】小型化を図りつつ、便器洗浄を良好に行うことができる便器洗浄装置を提供する。【解決手段】便器洗浄装置１０は、水洗式便器の便鉢部２に洗浄水を供給するとともに、この便鉢部２の下流側に連通する便器排水路３内の空気を吸引する。便器洗浄装置１０は、上流端を給水源に連通し、給水弁３１を有する上流側給水路１１と、下流端を便鉢部２に連通する下流側給水路１２と、一端を便器排水路３に連通する吸気路１３と、上流側給水路１１の下流端に連通して洗浄水が流入する第１貫通口２１、下流側給水路１２の上流端に連通して貯留した洗浄水が流出する第２貫通口２２、及び吸気路１３の他端に連通して便器排水路３内の空気が吸気路１３を介して流入する第３貫通口２３を有し、これら貫通口以外は内外を貫通していない密閉された容器から構成された第１洗浄タンク１４とを備えている。【選択図】図１
2012207488.tif 000002
【特許請求の範囲】
【請求項１】
水洗式便器の便鉢部に洗浄水を供給するとともに、この便鉢部の下流側に連通する便器排水路内の空気を吸引する便器洗浄装置であって、
上流端を給水源に連通し、給水弁を有する上流側給水路と、
下流端を前記便鉢部に連通する下流側給水路と、
一端を前記便器排水路に連通する吸気路と、
前記上流側給水路の下流端に連通して洗浄水が流入する第１貫通口、前記下流側給水路の上流端に連通して貯留した洗浄水が流出する第２貫通口、及び前記吸気路の他端に連通して前記便器排水路内の空気がこの吸気路を介して流入する第３貫通口を有し、これら貫通口以外は内外を貫通していない密閉された容器から構成された第１洗浄タンクとを備えていることを特徴とする便器洗浄装置。
【請求項２】
前記第１洗浄タンクと、貯留した洗浄水を前記便鉢部へ供給する第２洗浄タンクとを備えていることを特徴とする便器洗浄装置。
【請求項３】
前記下流側給水路に設けられた圧送手段を備えていることを特徴とする請求項１又は２記載の便器洗浄装置。
【請求項４】
前記第１洗浄タンクは、前記第３貫通口から流入した空気が前記第２貫通口から流出することを防止する遮断機構を有していることを特徴とする請求項１乃至３のいずれか１項記載の便器洗浄装置。
【請求項５】
前記遮断機構は、前記第１洗浄タンクの下部において、この第１洗浄タンクを上下方向に分割し、上下方向に貫設した連通孔を具備する隔壁と、前記連通孔に設けられ、前記洗浄タンク内の水位に連動してこの貫通孔を開閉する開閉機構とを有していることを特徴とする請求項４記載の便器洗浄装置。
【発明の詳細な説明】
【技術分野】
【０００１】
本発明は便器洗浄装置に関する。
【背景技術】
【０００２】
特許文献１には従来の便器洗浄装置が開示されている。この便器洗浄装置は、便鉢部に洗浄水を供給するとともに、この便鉢部の下流側に連通する便器排水路内の空気を吸引することができる。この便器洗浄装置は、給水源に連通し、給水弁を有する上流側給水路、この上流側給水路の下流側に連通した洗浄タンク、及び洗浄タンクと便鉢部とを連通する下流側給水路を備えている。また、この便器洗浄装置は一端が便器排水路に連通する吸気路を備えている。この吸気路は、他端側が、洗浄タンクの底面部から洗浄タンク内を上方に向けて延びた第１吸気路と、洗浄水の最高水位よりも上方でこの第１吸気路に連続し、下方を向いて延びる第２吸気路とを有している。第２吸気路は、下端部が下方に向いて開口し、洗浄タンクに貯留される洗浄水中に位置している。
【０００３】
この便器洗浄装置は、便器洗浄を実行した際、洗浄タンク内の洗浄水が下流側給水路を介して便鉢部に流出する。これによって、洗浄タンク内の洗浄水の水位が低下し、第２吸気路内の洗浄水が下端部の開口から流出する。このため、吸気路は第２吸気路内から流出した洗浄水の水量と同じ量の空気を便器排水路内から吸引する。便器排水路内の空気が吸気路内に吸引されることによって、便器排水路内の空気が減少し、便器排水路内に洗浄水が流入し易くなる。これによって、便器排水路内にサイホン作用が誘起され易くなる。このため、この便器洗浄装置を備えた水洗式便器は、便器排水路内にサイホン作用を確実に発生させることができ、便器洗浄を良好に行うことができる。
【先行技術文献】
【特許文献】
【０００４】
【特許文献１】実公平６−３８９４４号公報
【発明の概要】
【発明が解決しようとする課題】
【０００５】
しかし、特許文献１の便器洗浄装置では、洗浄タンク内に吸気路を配置しなければならない。また、便器排水路から吸引する空気量を多くしたり、流量を多くしたりするには、第２吸気路の容積を大きくしたり、第２吸気路のみならず、第１吸気路の流路面積を大きくしたりする必要がある。この際、洗浄タンク内の他の部品（例えば、オーバーフロー管等）との干渉を防がなければならないため、洗浄タンクが大型化してしまうおそれがある。また、第１吸気路は洗浄水を貯留することができないため、この点でも洗浄タンクが大型化してしまうおそれがある。
【０００６】
本発明は、上記従来の実情に鑑みてなされたものであって、小型化を図りつつ、便器洗浄を良好に行うことができる便器洗浄装置を提供することを解決すべき課題としている。
【課題を解決するための手段】
【０００７】
本発明の便器洗浄装置は、水洗式便器の便鉢部に洗浄水を供給するとともに、この便鉢部の下流側に連通する便器排水路内の空気を吸引する便器洗浄装置であって、
上流端を給水源に連通し、給水弁を有する上流側給水路と、
下流端を前記便鉢部に連通する下流側給水路と、
一端を前記便器排水路に連通する吸気路と、
前記上流側給水路の下流端に連通して洗浄水が流入する第１貫通口、前記下流側給水路の上流端に連通して貯留した洗浄水が流出する第２貫通口、及び前記吸気路の他端に連通して前記便器排水路内の空気がこの吸気路を介して流入する第３貫通口を有し、これら貫通口以外は内外を貫通していない密閉された容器から構成された第１洗浄タンクとを備えていることを特徴とする。
【０００８】
この便器洗浄装置は、第１洗浄タンク内に吸気路などを配置しないため、簡易な構成にすることができる。また、第１洗浄タンクは、各貫通口以外は内外を貫通していない密閉された容器で構成されているため、第１洗浄タンクの全容積分に相当する空気を吸気路を介して便器排水路内から吸引することができる。また、便器排水路内から吸引する空気の流量の変更は、吸気路及び第３貫通口の流路面積を変更することによって容易に行うことができる。さらに、上流側給水路が給水弁を有しているため、第１洗浄タンクは耐圧性を高める必要がない。このため、第１洗浄タンクは、必要最小限の洗浄水を貯留することができる容積にすることができ、小型化を図ることができる。また、第１洗浄タンクは、便器排水路内から必要十分な空気を吸引することができるため、便器排水路内にサイホン作用を確実に発生させることができる。
【０００９】
したがって、本発明の便器洗浄装置は、小型化を図りつつ、便器洗浄を良好に行うことができる。
【００１０】
前記第１洗浄タンクと、貯留した洗浄水を前記便鉢部へ供給する第２洗浄タンクとを備え得る。この場合、第１洗浄タンクの容量を便器排水路内から吸引する必要な空気量と同じにする。つまり、第１洗浄タンクが小量の洗浄水を貯留し、第２洗浄タンクが大量の洗浄水を貯留するように夫々のタンクを形成する。このようにすることによって、第１洗浄タンクが便器排水路内から必要以上に空気を吸引しないようにすることができる。また、第１洗浄タンクが便器排水路内から空気を吸引するタイミングを変更したり、流量を変更したりすることを容易に行うことができるため、第１洗浄タンクが便器排水路内から吸引する空気のタイミング及び流量を最適に設定することができる。このため、便器排水路内にサイホン作用を確実に発生させることができる。また、便鉢部を洗浄したり、便鉢部から汚物を搬送したりする洗浄水は、主に第２洗浄タンクに貯留される洗浄水を利用する（第１洗浄タンクに貯留される洗浄水も利用する）。このため、第２洗浄タンクから便器洗浄及び汚物搬送に必要な水量の洗浄水を便鉢部に供給することができるため、便器洗浄を良好に行うことができる。
【００１１】
前記下流側給水路に設けられた圧送手段を備え得る。この場合、第１洗浄タンクを便鉢部の上端よりも低い位置に配置することができる。また、第２洗浄タンクもこの下流側給水路に連通して、便鉢部に洗浄水を供給するようにすれば、第２洗浄タンクも第１洗浄タンクと共に、便鉢部よりも低い位置に配置することができる。このようにすれば、この便器洗浄装置を備えた水洗式便器はローシルエットに形成することができる。
【００１２】
前記第１洗浄タンクは、前記第３貫通口から流入した空気が前記第２貫通口から流出することを防止する遮断機構を有し得る。この場合、寒冷地において第１洗浄タンクの水抜きを行った場合でも、便器排水路内の空気（臭気）が第２貫通口から下流側給水路を介して便鉢部内に流出し、外部へ発散することを防止することができる。また、便器排水路内の圧力によって下流側給水路に設けられた圧送手段などが動作不良を起こすことを防止することができる。
【００１３】
前記遮断機構は、前記第１洗浄タンクの下部において、この第１洗浄タンクを上下方向に分割し、上下方向に貫設した連通孔を具備する隔壁と、前記連通孔に設けられ、前記洗浄タンク内の水位に連動してこの貫通孔を開閉する開閉機構とを有し得る。この場合、簡易な構造で遮断機構を構成することができる。
【図面の簡単な説明】
【００１４】
【図１】実施例１の便器洗浄装置を備えた水洗式便器の断面模式図である。
【図２】実施例１の便器洗浄装置を備えた水洗式便器の便器洗浄の途中状態を示す断面模式図である。
【図３】実施例２の便器洗浄装置を備えた水洗式便器の断面模式図である。
【図４】実施例３の便器洗浄装置を備えた水洗式便器の断面模式図である。
【図５】実施例４の便器洗浄装置を備えた水洗式便器の断面模式図である。
【図６】実施例５の便器洗浄装置を備えた水洗式便器の断面模式図である。
【図７】実施例６の便器洗浄装置を備えた水洗式便器の断面模式図である。
【図８】実施例７の便器洗浄装置を備えた水洗式便器の断面模式図である。
【発明を実施するための形態】
【００１５】
本発明の便器洗浄装置を具体化した実施例１〜７を図面を参照しつつ説明する。
【００１６】
＜実施例１＞
実施例１の便器洗浄装置１０は、図１に示すように、水洗式便器の便器本体１の後方上部に配置されて固定されている。水洗式便器の便器本体１は、便鉢部２と、便鉢部２の下流側に連通する便器排水路３とを有している。便器排水路３は便鉢部２の下部から斜め上方に向けて延びた上昇流路３Ａと、上昇流路３Ａの上端部に連通し、垂直下方に向けて延びた下降流路３Ｂとから構成されている。下降流路３Ｂは後述する吸気路１３の一端が連通している上部よりも下方に絞り部４を形成している。
【００１７】
便器洗浄装置１０は、上流側給水路１１、下流側給水路１２、吸気路１３、及び第１洗浄タンク１４を備えている。上流側給水路１１は図示しない給水源に上流端を連通している。また、上流側給水路１１は、上流側給水路１１を開閉する給水弁３１を有している。下流側給水路１２は、下流端を便鉢部２に連通し、便鉢部２の上端周縁部に形成されたリム通水路の一方向に沿って洗浄水を吐水することができる。また、下流側給水路１２は、下流側給水路１２を開閉する第１排水弁４１を有している。吸気路１３は一端を便器排水路３の下降流路３Ｂの上部に連通している。
【００１８】
第１洗浄タンク１４は、第１貫通口２１、第２貫通口２２、第３貫通口２３を有し、これら貫通口２１、２２、２３以外は内外を貫通していない密閉された容器から構成されている。第１貫通口２１は、第１洗浄タンク１４の上壁部１５に貫設されており、上流側給水路１１の下流端に連通して洗浄水が流入する。第２貫通口２２は、第１洗浄タンク１４の第１底壁部１６に貫設されており、下流側給水路１２の上流端に連通して第１洗浄タンク１４に貯留した洗浄水が流出する。第３貫通口２３は、第１洗浄タンク１４の上壁部１５に貫設されており、吸気路１３の他端に連通して便器排水路３内の空気が吸気路１３を介して流入する。
【００１９】
このような構成を有する実施例１の便器洗浄装置１０は、便器洗浄を実行すると、第１排水弁４１が開弁し、第１洗浄タンク１４内に貯留した洗浄水が第２貫通口２２から流出する。第２貫通口２２から流出した洗浄水は、図２に示すように、下流側給水路１２を介してリム通水路に向けて吐水され、便鉢部２の上部から便鉢部２内を旋回するように流下する。このため、便鉢部２の表面を良好に洗浄することができる。便鉢部２内に洗浄水が流入すると、便器排水路３の上昇流路３Ａ内に洗浄水が流入するとともに、便鉢部２内の洗浄水の水位が上昇する。また、上昇流路３Ａから下降流路３Ｂ内に流入した洗浄水は絞り部４において飛散して水膜を形成する。
【００２０】
第１排水弁４１が開弁し、第１洗浄タンク１４内の洗浄水が流出すると、第１洗浄タンク１４内の水位が低下する。第１洗浄タンク１４が、第１〜第３貫通口２１、２２、２３以外は密閉された容器によって構成されているため、第１洗浄タンク１４内の水位が低下すると、吸気路１３を介して第３貫通口２３から第１洗浄タンク１４内に便器排水路３内の空気が吸引される。
【００２１】
このように、便鉢部２内に洗浄水が流入し、便鉢部２内の洗浄水の水位が上昇するとともに、便器排水路３内から空気が吸引されるため、これらの相乗効果によって、一気に便器排水路３内に洗浄水が流入する。これによって、便器排水路３内にサイホン作用が発生し、汚物などを良好に便鉢部２内から排出することができる。また、下降流路３Ｂの絞り部４において水膜が形成された後は、便器排水路３内に閉じられた空間が形成され、この閉じられた空間の空気を第１洗浄タンク１４内に吸引することになる。これにより、便器排水路３内に勢いよく洗浄水を流入させることができ、サイホン作用を増強することができる。
【００２２】
この第１洗浄タンク１４は、内部に吸気路１３などを配置しないため、簡易な構成にすることができる。また、第１洗浄タンク１４は、第１〜第３貫通口２１、２２、２３以外、内外を貫通していない密閉された容器によって構成されているため、第１洗浄タンク１４の全容積分に相当する空気を吸気路１３を介して便器排水路３内から吸引することができる。また、便器排水路３内から吸引する空気の流量の変更は、吸気路１３及び第３貫通口２３の流路面積を変更することによって容易に行うことができる。さらに、上流側給水路１１が給水弁３１を有しているため、第１洗浄タンク１４は耐圧性を高める必要がない。このため、第１洗浄タンク１４は、必要最小限の洗浄水を貯留することができる容積にすることができ、小型化を図ることができる。また、第１洗浄タンク１４は、便器排水路３内から必要十分な空気を吸引することができるため、便器排水路３内にサイホン作用を確実に発生させることができる。
【００２３】
したがって、実施例１の便器洗浄装置１０は、小型化を図りつつ、便器洗浄を良好に行うことができる。
【００２４】
＜実施例２＞
実施例２の便器洗浄装置５０は、図３に示すように、第１洗浄タンク１４と、第２洗浄タンク１７を備えている。他の構成は実施例１と同様であり、同一の構成は同一の符号を付し、詳細な説明を省略する。
【００２５】
第１洗浄タンク１４と第２洗浄タンク１７は併設され一体的に形成されている。第１洗浄タンク１４の容量は便器排水路３内から吸引する必要な空気量と同じ量に設定されている。つまり、第１洗浄タンク１４は少量の洗浄水を貯留することができる。
【００２６】
第２洗浄タンク１７は、第１洗浄タンク１４の第１底壁部１６に連続して形成された第２底壁部１８と、第２底壁部１８に貫設された排水口２４とを有し、上部を開放した容器から構成されている。第２洗浄タンク１７は、上部開口から第２上流側給水路５１を介して洗浄水が流入する。第２上流側給水路５１は、上流端が図示しない給水源に連通しており、第２上流側給水路５１を開閉する第２給水弁３２を有している。排水口２４には便鉢部２に連通する第２下流側給水路１９が連通している。第２下流側給水路１９は、第２下流側給水路１９を開閉する第２排水弁４２を有している。第２下流側給水路１９は、下流端を便鉢部２に連通し、第１洗浄タンク１４に連通した下流側給水路１２から吐水される洗浄水とともに、便鉢部２の上端周縁部に形成されたリム通水路の一方向に沿って洗浄水を吐水することができる。
【００２７】
このような構成を有する実施例２の便器洗浄装置５０は、便器洗浄を実行すると、まず第２排水弁４２が開弁し、第２洗浄タンク１７内に貯留した洗浄水が排水口２４から流出する。排水口２４から流出した洗浄水は、第２下流側給水路１９を介してリム通水路に向けて吐水され、便鉢部２の上部から便鉢部２内を旋回するように流下する。このため、便鉢部２の表面を良好に洗浄することができる。便鉢部２内に洗浄水が流入すると、便器排水路３の上昇流路３Ａ内に洗浄水が流入するとともに、便鉢部２内の洗浄水の水位が上昇する。また、上昇流路３Ａから下降流路３Ｂ内に流入した洗浄水は絞り部４において飛散して水膜を形成する。
【００２８】
第２排水弁４２が開弁して設定時間経過後（この時点で便鉢部２内の洗浄水の水位は上昇し、下降流路３Ｂの絞り部４に形成された水膜によって便器排水路３内に閉じられた空間が形成されている。）に第１排水弁４１を開弁する。すると、第１洗浄タンク１４内の洗浄水が流出し、第１洗浄タンク１４内の水位が低下するため、吸気路１３を介して第３貫通口２３から第１洗浄タンク１４内に便器排水路３内の空気が吸引される。
【００２９】
このように、第１排水弁４１が開弁する際には、便鉢部２内の洗浄水の水位が上昇し、下降流路３Ｂの絞り部４に形成された水膜によって、便器排水路３内に閉じられた空間が形成されており、この閉じられた空間から空気が吸引されるため、これらの相乗効果によって、一気に便器排水路３内に勢いよく洗浄水が流入する。これによって、便器排水路３内に強力なサイホン作用が発生し、汚物などを便鉢部２内から良好に排出することができる。
【００３０】
この便器洗浄装置５０では、第１洗浄タンク１４が便器排水路３内から必要以上に空気を吸引しない。また、第１排水弁４１を開弁するタイミングを変更することによって、第１洗浄タンク１４が便器排水路３内から空気を吸引するタイミングを容易に変更することができる。また、第１洗浄タンク１４が便器排水路３内から吸引する空気の流量の変更は、吸気路１３及び第３貫通口２３の流路面積を変更することによって容易に変更することができる。このため、第１洗浄タンク１４が便器排水路３内から吸引する空気のタイミング及び流量を最適にすることができ、便器排水路３内にサイホン作用を確実に発生させることができる。
【００３１】
また、この便器洗浄装置５０では、便鉢部２を洗浄したり、便鉢部２から汚物を搬送したりする洗浄水は、第１洗浄タンク１４に貯留された洗浄水を利用しつつ、主に第２洗浄タンク１７に貯留される洗浄水を利用する。このため、第２洗浄タンク１７から便器洗浄及び汚物搬送に必要な水量の洗浄水を便鉢部２に供給することができるため、便器洗浄を良好に行うことができる。
【００３２】
したがって、実施例２の便器洗浄装置５０も、小型化を図りつつ、便器洗浄を良好に行うことができる。
【００３３】
＜実施例３＞
実施例３の便器洗浄装置６０は、図４に示すように、水洗式便器の便鉢部２の後方に配置されている。また、この便器洗浄装置６０は、第１洗浄タンク１４の側壁部１４Ｗの下部に貫設された第２貫通口２２に連通する下流側給水路１２に圧送手段であるポンプＰが設けられている。他の構成は実施例１と同様であり、同一の構成は同一の符号を付し、詳細な説明を省略する。
【００３４】
この便器洗浄装置６０は、第１洗浄タンク１４内に貯留した洗浄水をポンプＰによって圧送して便鉢部２内へ供給することができるため、第１洗浄タンク１４を便鉢部２の上端よりも低い位置に配置することができる。このため、この便器洗浄装置６０を備えた水洗式便器はローシルエットに形成することができる。
【００３５】
この便器洗浄装置６０は、便器洗浄を実行すると、ポンプＰが駆動し、第１洗浄タンク１４内に貯留した洗浄水が第２貫通口２２から流出する。ポンプＰによって圧送された洗浄水は、下流側給水路１２を介してリム通水路に向けて吐水され、便鉢部２の上部から便鉢部２内を旋回するように流下する。このため、便鉢部２の表面を良好に洗浄することができる。便鉢部２内に洗浄水が流入すると、便器排水路３の上昇流路３Ａ内に洗浄水が流入するとともに、便鉢部２内の洗浄水の水位が上昇する。また、上昇流路３Ａから下降流路３Ｂ内に流入した洗浄水は絞り部４において飛散して水膜を形成する。
【００３６】
ポンプＰが駆動され、第１洗浄タンク１４内の洗浄水が流出すると、第１洗浄タンク１４内の水位が低下する。第１洗浄タンク１４が、第１〜第３貫通口２１、２２、２３以外は密閉した容器によって構成されているため、第１洗浄タンク１４内の水位が低下すると、吸気路１３を介して第３貫通口２３から第１洗浄タンク１４内に便器排水路３内の空気が吸引される。
【００３７】
このように、便鉢部２内に洗浄水が流入し、便鉢部２内の洗浄水の水位が上昇するとともに、便器排水路３内から空気が吸引されるため、これらの相乗効果によって、一気に便器排水路３内に洗浄水が流入する。これによって、便器排水路３内のサイホン作用が発生し、汚物などを良好に便鉢部２内から排出することができる。また、下降流路３Ｂの絞り部４において水膜が形成された後は、便器排水路３内に閉じられた空間が形成され、この閉じられた空間の空気を第１洗浄タンク１４内に吸引することになる。これにより、便器排水路３内に勢いよく洗浄水を流入させることができ、サイホン作用を増強することができる
【００３８】
したがって、実施例３の便器洗浄装置６０も、小型化を図りつつ、便器洗浄を良好に行うことができる。
【００３９】
また、この便器洗浄装置６０は、ポンプＰの駆動制御を行うことによって、便鉢部２に供給する洗浄水の流量及び便器排水路３内から吸引する空気の流量を制御し、最適な便器洗浄を実行することができる。
【００４０】
＜実施例４＞
実施例４の便器洗浄装置７０は、図５に示すように、水洗式便器の便鉢部２の後方に配置されている。また、この便器洗浄装置７０は、第１排水弁４１より下流側の下流側給水路１２に、第２排水弁４２より下流側の第２下流側給水路１９が合流している。また、第２下流側給水路１９が合流している部分より下流側の下流側給水路１２に圧送手段であるポンプＰが設けられている。他の構成は実施例２と同様であり、同一の構成は同一の符号を付し、詳細な説明を省略する。
【００４１】
この便器洗浄装置７０は、第１洗浄タンク１４内及び第２洗浄タンク１７内に貯留した洗浄水をポンプＰによって圧送して便鉢部２内へ供給することができるため、第１洗浄タンク１４及び第２洗浄タンク１７を便鉢部２の上端よりも低い位置に配置することができる。このため、この便器洗浄装置７０を備えた水洗式便器はローシルエットに形成することができる。
【００４２】
この便器洗浄装置７０は、便器洗浄を実行すると、まず第２排水弁４２が開弁するとともにポンプＰが駆動し、第２洗浄タンク１７内に貯留した洗浄水が排水口２４から流出する。ポンプＰによって圧送される洗浄水は、第２下流側給水路１９及び下流側給水路１２を介してリム通水路に向けて吐水され、便鉢部２の上部から便鉢部２内を旋回するように流下する。このため、便鉢部２の表面を良好に洗浄することができる。便鉢部２内に洗浄水が流入すると、便器排水路３の上昇流路３Ａ内に洗浄水が流入するとともに、便鉢部２内の洗浄水の水位が上昇する。また、上昇流路３Ａから下降流路３Ｂ内に流入した洗浄水は絞り部４において飛散して水膜を形成する。
【００４３】
ポンプＰが駆動して設定時間経過後（この時点で便鉢部２内の洗浄水の水位は上昇し、下降流路３Ｂの絞り部４に形成された水膜によって便器排水路３内に閉じられた空間が形成されている。）に第１排水弁４１を開弁する。すると、第１洗浄タンク１４内の洗浄水もポンプＰによって圧送されて流出し、第１洗浄タンク１４内の水位が低下するため、吸気路１３を介して第３貫通口２３から第１洗浄タンク１４内に便器排水路３内の空気が吸引される。
【００４４】
このように、第１排水弁４１が開弁する際には、便鉢部２内の洗浄水の水位が上昇し、下降流路３Ｂの絞り部４に形成された水膜によって、便器排水路３内に閉じられた空間が形成されており、この閉じられた空間から空気が吸引されるため、これらの相乗効果によって、一気に便器排水路３内に勢いよく洗浄水が流入する。これによって、便器排水路３内に強力なサイホン作用が発生し、汚物などを便鉢部２内から良好に排出することができる。
【００４５】
この便器洗浄装置７０では、第１洗浄タンク１４が便器排水路３内から必要以上に空気を吸引しない。また、第１排水弁４１を開弁するタイミングを変更することによって、第１洗浄タンク１４が便器排水路３内から空気を吸引するタイミングを容易に変更することができる。また、第１洗浄タンク１４が便器排水路３内から吸引する空気の流量の変更は、吸気路１３及び第３貫通口２３の流路面積を変更することによって容易に変更することができる。また、ポンプＰの駆動制御をすることによっても便器排水路３内から吸引する空気の流量を変更することができる。このため、第１洗浄タンク１４が便器排水路３内から吸引する空気のタイミング及び流量を最適にすることができ、便器排水路３内にサイホン作用を確実に発生させることができる。
【００４６】
また、この便器洗浄装置７０では、便鉢部２を洗浄したり、便鉢部２から汚物を搬送したりする洗浄水は、第１洗浄タンク１４に貯留された洗浄水を利用しつつ、主に第２洗浄タンク１７に貯留される洗浄水を利用する。このため、第２洗浄タンク１７から便器洗浄及び汚物搬送に必要な水量の洗浄水を便鉢部２に供給することができるため、便器洗浄を良好に行うことができる。また、ポンプＰの駆動制御を行うことによって、便鉢部２に供給する洗浄水の流量を制御し、最適な便器洗浄を実行することができる。
【００４７】
したがって、実施例４の便器洗浄装置７０も、小型化を図りつつ、便器洗浄を良好に行うことができる。
【００４８】
＜実施例５＞
実施例５の便器洗浄装置７５は、図６に示すように、下流側給水路１２に第２下流側給水路１９が合流する部分に切替弁４３が設けられている。他の構成は実施例４と同様であり、同一の構成は同一の符号を付し、詳細な説明を省略する。
【００４９】
この便器洗浄装置７５は、便器洗浄を実行すると、まず、切替弁４３が第２下流側給水路１９と下流側給水路１２とを連通するとともにポンプＰが駆動する。これによって、第２洗浄タンク１７内に貯留した洗浄水が排水口２４から流出する。ポンプＰによって圧送される洗浄水は、第２下流側給水路１９及び下流側給水路１２を介してリム通水路に向けて吐水され、便鉢部２の上部から便鉢部２内を旋回するように流下する。このため、便鉢部２の表面を良好に洗浄することができる。便鉢部２内に洗浄水が流入すると、便器排水路３の上昇流路３Ａ内に洗浄水が流入するとともに、便鉢部２内の洗浄水の水位が上昇する。また、上昇流路３Ａから下降流路３Ｂ内に流入した洗浄水は絞り部４において飛散して水膜を形成する。
【００５０】
ポンプＰが駆動して設定時間経過後（この時点で便鉢部２内の洗浄水の水位は上昇し、下降流路３Ｂの絞り部４に形成された水膜によって便器排水路３内に閉じられた空間が形成されている。）に切替弁４３が切替弁４３より下流側の下流側給水路１２に、第２下流側給水路１９及び切替弁４３より上流側の下流側給水路１２を連通する。すると、第１洗浄タンク１４内の洗浄水もポンプＰによって圧送されて流出し、第１洗浄タンク１４内の水位が低下するため、吸気路１３を介して第３貫通口２３から第１洗浄タンク１４内に便器排水路３内の空気が吸引される。
【００５１】
このように、切替弁４３が流路を切り替える際には、便鉢部２内の洗浄水の水位が上昇し、下降流路３Ｂの絞り部４に形成された水膜によって、便器排水路３内に閉じられた空間が形成されており、この閉じられた空間から空気が吸引されるため、これらの相乗効果によって、一気に便器排水路３内に勢いよく洗浄水が流入する。これによって、便器排水路３内の強力なサイホン作用が発生し、汚物などを便鉢部２内から良好に排出することができる。
【００５２】
この便器洗浄装置７５では、第１洗浄タンク１４が便器排水路３内から必要以上に空気を吸引しない。また、切替弁４３の切り替えタイミングを変更することによって、第１洗浄タンク１４が便器排水路３内から空気を吸引するタイミングを容易に変更することができる。また、第１洗浄タンク１４内に吸引される便器排水路３内の空気の流量の変更は、ポンプＰの駆動を制御をしなくても、吸気路１３及び第３貫通口２３の流路面積を変更することによって容易に変更することができる。また、切替弁４３の流路面積を調整することによっても第１洗浄タンク１４内に吸引される便器排水路３内の空気の流量を変更することができる。また、ポンプＰの駆動制御をすることによっても第１洗浄タンク１４内に吸引される便器排水路３内の空気の流量を変更することができる。このため、第１洗浄タンク１４内に便器排水路３内の空気を吸引するタイミング及び流量を最適にすることができ、便器排水路３内にサイホン作用を確実に発生させることができる。
【００５３】
また、この便器洗浄装置７５では、便鉢部２を洗浄したり、便鉢部２から汚物を搬送したりする洗浄水は、第１洗浄タンク１４に貯留された洗浄水を利用しつつ、主に第２洗浄タンク１７に貯留される洗浄水を利用する。このため、第２洗浄タンク１７から便器洗浄及び汚物搬送に必要な水量の洗浄水を便鉢部２に供給することができるため、便器洗浄を良好に行うことができる。また、ポンプＰの駆動制御を行うことによって、便鉢部２に供給する洗浄水の流量を制御し、最適な便器洗浄を実行することができる。
【００５４】
したがって、実施例５の便器洗浄装置７５も、小型化を図りつつ、便器洗浄を良好に行うことができる。
【００５５】
＜実施例６＞
実施例６の便器洗浄装置８０は、図７に示すように、第３貫通口２３から流入した空気が第２貫通口２２から流出することを防止する遮断機構８１を有している。遮断機構８１は、第１洗浄タンク１４の下部（第２貫通口２２よりも上方）において、第１洗浄タンク１４を上下方向に分割し、上下方向に貫設した連通孔８２Ａを具備する隔壁８２と、連通孔８２Ａに設けられ洗浄タンク内の水位に連動してこの連通孔８２Ａを開閉する開閉機構である電磁式開閉弁８３とを有している。他の構成は実施例３と同様であり、同一の構成は同一の符号を付し、詳細な説明を省略する。
【００５６】
この開閉機構は、図示しない水位センサによって、第１洗浄タンク１４内の洗浄水の水位が隔壁よりも下方に低下することを検知し、この検知信号に基づいて電磁式開閉弁８３を駆動し、連通孔８２Ａを閉鎖することができる。
【００５７】
このように構成された便器洗浄装置８０は寒冷地において第１洗浄タンク１４の水抜きを行った場合、電磁式開閉弁８３が隔壁の連通孔８２Ａを閉鎖するため、便器排水路３内の空気（臭気）が第２貫通口２２から下流側給水路１２を介して便鉢部２内に流出し、外部へ発散することを簡易な構造で防止することができる。また、便器排水路３内の圧力によって下流側給水路１２に設けられた圧送手段であるポンプＰなどが動作不良を起こすことを防止することができる。
【００５８】
＜実施例７＞
実施例７の便器洗浄装置９０は、図８に示すように、遮断機構９１の開閉機構をフロート弁９３によって形成している。他の構成は実施例６と同様であり、同一の構成は同一の符号を付し、詳細な説明を省略する。
【００５９】
フロート弁９３は、第１洗浄タンク１４内の洗浄水が水位が隔壁よりも下方に低下すると、連通孔８２Ａを閉鎖することができる。
【００６０】
このように構成された便器洗浄装置９０も寒冷地において第１洗浄タンク１４の水抜きを行った場合、フロート弁９３が隔壁８２の連通孔８２Ａを閉鎖するため、便器排水路３内の空気（臭気）が第２貫通口２２から下流側給水路１２を介して便鉢部２内に流出し、外部へ発散することを簡易な構造で防止することができる。また、便器排水路３内の圧力によって下流側給水路１２に設けられた圧送手段であるポンプＰなどが動作不良を起こすことを防止することができる。
【００６１】
本発明は上記記述及び図面によって説明した実施例１〜７に限定されるものではなく、例えば次のような実施例も本発明の技術的範囲に含まれる。
（１）実施例２、４、及び５では、第１洗浄タンクと第２洗浄タンクとを併設して一体的に形成されているが、第１洗浄タンクと第２洗浄タンクとを別体に形成し、離して配置してもよい。
（２）実施例２では、第１洗浄タンクに連通する下流側給水路に設けられた第１排水弁と、第２洗浄タンクに連通する第２洗浄タンクに連通する第下流側給水路に設けられた第２排水弁とを有していたが、下流側給水路と第２下流側給水路と合流させ、その下流側に給水路を開閉する排水弁、又は切替弁を設けてもよい。
（３）実施例３〜６では、第１洗浄タンク、及び／又は第２洗浄タンクを便鉢部の上端よりも低い位置に配置したが、大洗浄タンク、及び／又は第２洗浄タンクを便鉢部の上端よりも高い位置に配置してもよい。
（４）実施例１〜５では、遮断機構を有していないが、遮断機構を有してもよい。
【符号の説明】
【００６２】
２…便鉢部
３…便器排水路
１０、５０、６０、７０、７５、８０、９０…便器洗浄装置
１１…上流側給水路
１２…下流側給水路
１３…吸気路
１４…第１洗浄タンク
１７…第２洗浄タンク
２１…第１貫通口
２２…第２貫通口
２３…第３貫通口
３１…給水弁
８１、９１…遮断機構
８２…隔壁
８２Ａ…連通孔
８３…電磁式開閉弁（開閉機構）
９３…フロート弁（開閉機構）
Ｐ…ポンプ（圧送手段）
【図１】
2012207488.tif 000003
【図２】
2012207488.tif 000004
【図３】
2012207488.tif 000005
【図４】
2012207488.tif 000006
【図５】
2012207488.tif 000007
【図６】
2012207488.tif 000008
【図７】
2012207488.tif 000009
【図８】
2012207488.tif 000010
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
水洗式便器の便鉢部に洗浄水を供給するとともに、この便鉢部の下流側に連通する便器排水路内の空気を吸引する便器洗浄装置であって、
上流端を給水源に連通し、給水弁を有する上流側給水路と、
下流端を前記便鉢部に連通する下流側給水路と、
一端を前記便器排水路に連通する吸気路と、
前記上流側給水路の下流端に連通して洗浄水が流入する第１貫通口、前記下流側給水路の上流端に連通して貯留した洗浄水が流出する第２貫通口、及び前記吸気路の他端に連通して前記便器排水路内の空気がこの吸気路を介して流入する第３貫通口を有し、これら貫通口以外は内外を貫通していない密閉された容器から構成された第１洗浄タンクとを備えていることを特徴とする便器洗浄装置。
【請求項２】
前記第１洗浄タンクと、貯留した洗浄水を前記便鉢部へ供給する第２洗浄タンクとを備えていることを特徴とする請求項１記載の便器洗浄装置。
【請求項３】
前記下流側給水路に設けられた圧送手段を備えていることを特徴とする請求項１又は２記載の便器洗浄装置。
【請求項４】
前記第１洗浄タンクは、前記第３貫通口から流入した空気が前記第２貫通口から流出することを防止する遮断機構を有していることを特徴とする請求項１乃至３のいずれか１項記載の便器洗浄装置。
【請求項５】
前記遮断機構は、前記第１洗浄タンクの下部において、この第１洗浄タンクを上下方向に分割し、上下方向に貫設した連通孔を具備する隔壁と、前記連通孔に設けられ、前記洗浄タンク内の水位に連動してこの貫通孔を開閉する開閉機構とを有していることを特徴とする請求項４記載の便器洗浄装置。